(57)【要約】      （修正有）【課題】主に電子部品を冷却する為に用いられる熱交換装置であり、中心部から外周部まで熱交換機能と送風機能が融合していることで、従来品より小型で熱交換効率の良い熱交換装置を提供する。【解決手段】ベース部材上に設けた同心円状の複数の壁面と、壁面に接近して対向する突起を有する回転体を設け、突起と該壁面の間の流体が、該回転体の回転に誘起されて回転することで熱交換するごとく構成した熱交換装置である。【選択図】図１
0003133422.tif 000002
【実用新案登録請求の範囲】
【請求項１】
ベース部材上に設けた同心円状の複数の壁面と、該壁面に接近して対向する突起を有する回転体を設け、該突起と該壁面の間の流体が、該回転体の回転に誘起されて回転し、その遠心力によって該壁面と該突起の隙間を通って回転体の中心側から外周に向かって流れるごとく構成したことを特徴とする熱交換装置。
【考案の詳細な説明】
【技術分野】
【０００１】
本考案は、電子装置等の局部的冷却用に用いられる熱交換装置に関するものであり、特に小型で熱交換効率の良い熱交換装置を提供するものである。
【背景技術】
【０００２】
上記のごとき用途に使用されている主なものとしては、複数のフィン状の突起を有する放熱部材と軸流ファン、クロスフローファン等を組み合わせた冷却装置等がある。
しかし、その多くはフィン状の突起の間を通り抜ける気体の流速が、特に外縁部では遅くなり、充分な冷却効率が得られていない。  更に、これまでの熱交換装置では、送風機能と熱交換機能が分離されているため及び、流路の抵抗に打ち勝って流体を有効に流すためにはファンの直径を大きくすることが必要であるために装置の小型の障害となっているために、必要な熱量を放熱する為にはかなり大きな寸法のものが必要となる。
【０００３】
この対策として、突起（撹乱翼）をつけた円盤を発熱素子に近づけて回転する方式のものがあるが、発熱体の表面は平面である為に充分な放熱効果を得ることが出来ない。
【特許文献１】特開平０５-００６９５０公報  また、流路自体を回転させることによって固定部分との相対速度を利用して放熱する方式のものがあるが、構造が複雑であることなどで上記目的に適合するものではない。
【特許文献２】特許―０２６１７０７６公報
【考案の開示】
【考案が解決しようとする課題】
【０００４】
本考案は、上記背景の下に成立したものであり、小型で簡単な構造でありながら、局部的な熱交換効率が良い熱交換装置を提供するものである。
【課題を解決するための手段】
【０００５】
本考案の第１の手段は、ベース部材上に設けた同心円状の複数の壁面と、該壁面に接近して対向する突起を有する回転体を設け、該突起と該壁面の間の流体が、該回転体の回転に誘起されて回転し、その遠心力によって該壁面と該突起の隙間を通って回転体の中心側から外周に向かって流れるごとく構成した熱交換装置を提供するものである。
【０００６】
本考案の第２の手段は、回転体の突起に円周方向の切り欠きを設けた上記の熱交換装置を提供することである。
【０００７】
本考案の第３の手段は、回転体に半径方向の突起を設けたこ上記の熱交換装置を提供することである。
【考案の効果】
【０００８】
本考案の熱交換装置は、上記の手段に示すように、ベース部材上に設けた同心円状の複数の壁面と、該壁面に接近して対向する突起を有する回転体を設け、該突起と該壁面の間の流体が、該回転体の回転に誘起されて回転し、その遠心力によって該壁面と該突起の隙間を通って回転体の中心側から外周に向かって流れる事によってベース部材の熱を効率よく流体に伝えて放出することが出来る。
すなわち、物体から流体に伝わる熱量は、両者の相対速度と面積の増加に伴って増加する。  又、流体を流すための手段としては、回転体に働く遠心力を利用して中心側から外周に向けて流すことが望ましいが、流路の抵抗に打ち勝って有効に流すためには外周の直径を大きくすることが必要である。  これまでの熱交換装置では、送風機能と熱交換機能が分離されていたために装置の小型の障害となっていた。
【０００９】
本考案の熱交換装置は、上記の手段により装置の中心部から外周部まで熱交換機能と送風機能が融合していることで装置の小型を可能にしている。
【考案を実施するための最良の形態】
【００１０】
本考案の構造は、金属製のベース部材上に設けた同心円状の複数の壁面と該壁面に接近して対向する同心円状の突起を有する回転体を設け、該突起と該壁面の間の流体が、該回転体の回転に誘起されて回転し、その遠心力によって該壁面と該突起の隙間を通って回転体の中心側から外周に向かって流れるごとく構成したものである。  回転体の材質は熱交換には影響しないので、軽いプラスチックでも差し支えない。
このような構造を有する熱交換装置は、ＣＰＵ等に接触させてその熱を奪って冷却するごとき用途に適するものである。
【００１１】
ここで、本考案における回転体の機能はベース部材の同心円状壁面に流体を吹き付けることであり、その効果を高めるために回転体の突起は上記同心円状壁面と同心の円形のものに複数個の円周方向の切り欠きを設けることが有効である。  この切り欠きにより流体は回転体の回転による回転力をより多く受けることが出来る。
【００１２】
又、回転体の遠心ファンとしての効果を高めるために半径方向の突起を設けることが出来る。  このようにすることにより流量を増加させて、ベース部材から流体が吸収した熱を有効に外部に放出させることが出来る。
【００１３】
更に、回転体の中心部付近の流体吸込口を形成する為の支持ステーを、半径方向を軸として捩れた形状とすることが出来る。  このようにすることによって、流体の流入抵抗を減少して、流量を増加させることが出来る。
【実施例１】
【００１４】
以下図について本考案の実施形態について説明する。
図１は本考案の一実施形態の構造を示す側断面図である。
図１において、  本考案の熱交換装置は、ベース部材１上に設けた同心円状の複数の壁面２と、壁面２に接近して対向する突起４を有する回転体３を設け、該突起４と該壁面２の間の流体が、該回転体３の回転に誘起されて回転し、その遠心力によって該壁面２と該突起４の隙間を通って回転体３の中心側から外周に向かって流れる事によってベース部材の熱を効率よく流体に伝えて放出することが出来る。  ５は回転体を駆動するためのモーターであり、Ａは吸入流体の流れ、Ｂは排出流体の流れを示す。  Ｃ面を発熱体に接触させることによってその熱を流体に伝えて放出することが出来る。
【００１５】
図２は本考案の一実施形態の構造を示す部分斜視図である。
図２において、回転体３の機能はベース部材１の同心円状壁面２に流体を吹き付けることであり、その効果を高めるために回転体３の突起４は上記同心円状壁面２と同心の円形のものに複数個の円周方向の切り欠き６を設けることが有効である。  この切り欠き６により流体は回転体３の回転による回転力をより多く受けることが出来る。
【００１６】
又、回転体３の遠心ファンとしての効果を高めるために半径方向の突起７を設けることが出来る。このようにすることによって流量を増加させて、ベース部材１から流体が吸収した熱を有効に外部に放出させることが出来る。
【００１７】
更に、回転体３の中心部付近の流体吸込口８を形成する為の支持ステー９を、半径方向を軸として捩れた形状とすることが出来る。  このようにすることによって、流体の流入抵抗を減少して、流量を増加させることが出来る。
【００１８】
これまでの説明で、流体については限定していない。  一般的には空気を主にして用いられるが、用途によっては他の気体でも問題なく、又液体についても同様な構成で応用できることは云うまでもない。
【図面の簡単な説明】
【００１９】
【図１】本考案の一実施形態の構造を示す側断面図である。
【図２】図１の実施形態の構造を示す部分斜視図である。
【符号の説明】
【００２０】
１：ベース
２：壁面
３：回転体
４：突起
５：モーター
６：切り欠き
７：半径方向の突起
８：吸入口
９：ステー
【図１】
0003133422.tif 000003
【図２】
0003133422.tif 000004